(57)【要約】【課題】薬液の注射において注射器内の空気の影響を容易に低減できる注射器を提供する。【解決手段】注射器１は、両端に開口部が形成された円筒形状の本体２と、本体２の一端に同軸状に、かつ、スライド可能に挿入された押部材３と、押部材３の本体２に挿入された端部とは反対側の端部に設けられたフランジ部４と、本体２の一端に対応する位置からフランジ部４側の端部までの押部材３の領域である取付領域に取付けられると共に、その長さが取付領域の長さよりも短いストッパー部材６と、本体２の他端と本体２に挿入された押部材３の端部との間に収容された薬液７と、本体２の他端に取付けられると共に、本体２の内部と通じる導管を有する針部９とを備える。本体２の一端には、つば部２Ａが設けられている。本体２の他端と本体２に挿入された押部材３の端部との間には、空気８も充填されている。【選択図】図１
0003172028.tif 000002
【実用新案登録請求の範囲】
【請求項１】
両端に開口部が形成された筒形状の本体と、
該本体の一端に同軸状に、かつ、スライド可能に挿入された押部材と、
該押部材の前記本体に挿入された端部とは反対側の端部に設けられたフランジ部と、
前記本体の一端に対応する位置から前記フランジ部側の端部までの前記押部材の領域である取付領域に取付けられると共に、その長さが前記取付領域の長さよりも短いストッパー部材と、
前記本体の他端と前記本体に挿入された前記押部材の端部との間に収容された薬液と、
前記本体の他端に取付けられると共に、前記本体の内部と通じる導管を有する針部とを備える
注射器。
【請求項２】
前記取付領域の長手方向に対して略垂直な断面の形状は、略十字形状であり、
前記ストッパー部材の長手方向に対して略垂直な断面の形状は、略Ｕ字形状である
請求項１に記載の注射器。
【請求項３】
前記ストッパー部材の長さと前記取付領域の長さとの差は、前記本体の他端と前記本体に挿入された前記押部材の端部との間にある薬液層及び空気層のうち、前記針部を上にして前記本体を略鉛直方向に向けた状態の空気層の厚みと略同じである
請求項１または請求項２に記載の注射器。
【請求項４】
前記ストッパー部材の長さは、前記本体の他端と前記本体に挿入された前記押部材の端部との間にある薬液層及び空気層のうち、前記針部を下にして前記本体を略鉛直方向に向けた状態の空気層の厚みと略同じである
請求項１または請求項２に記載の注射器。
【考案の詳細な説明】
【技術分野】
【０００１】
本考案は注射器に関する。詳しくは、薬液を自己注射するための注射器に係るものである。
【背景技術】
【０００２】
糖尿病やリウマチなどの患者は、患者自身が、自宅などで治療薬を自己注射することがあり、例えば進行したリウマチ患者は、痛みを和らげてリウマチの進行を抑えるために、自宅などで定期的に治療薬を自己注射する治療法を実施している。
【０００３】
また、例えば進行したリウマチ患者が自己注射を行なう場合、痛み、腫れ、変形のために手指に力が入らず、物を握る動作や指先で物を摘まむ動作が困難であるということがある。
【０００４】
そこで、このような患者のために、自己注射を補助する器具が幾つか提案されている。例えば特許文献１には、図４に示すような自己注射用補助具が記載されている。特許文献１に記載の自己注射用補助具１００は、注射器を挟み込んで固定するための装置本体１１０と、装置本体１１０に対して開閉可能であり、かつ、装置本体１１０に対して注射器セット位置と注射可能位置との間を軸方向にスライド移動可能となっている本体カバー１２０とを備える。
【０００５】
本体カバー１２０が閉じられると、針キャップ後端係合片１２２がシリンダの先端と針キャップとの間隙に挿入され、この状態で本体カバー１２０を注射可能位置にスライド移動させるだけで、針キャップを容易で確実かつ安全に取外すことができる。
【先行技術文献】
【特許文献】
【０００６】
【特許文献１】実用新案登録第３１４３３０２号公報
【考案の概要】
【考案が解決しようとする課題】
【０００７】
ところで、注射器には、薬液が膨張しても薬液が漏れ出ないように、空気も一緒に注射器内に充填されているが、薬液の注射を行なう際に、注射器内の空気の影響を最小限にするために即ち薬液と共に空気が患者の体内になるべく入らないようにするために、注射前に、注射器内の空気を抜くことや、薬液だけを放出して空気を注射器内に残すことが行なわれている。
【０００８】
ここで、注射器内の空気を抜く操作は、薬液の放出を最小限に抑えながら空気を放出する操作であるため微妙な力加減を必要とする。従って、特に指が変形している人が多いリウマチ患者にとって、患者自身による空気抜き操作は困難であった。
【０００９】
本考案は、以上の点に鑑みて創案されたものであり、薬液の注射において注射器内の空気の影響を容易に低減できる注射器を提供することを目的とする。
【課題を解決するための手段】
【００１０】
上記の目的を達成するために、本考案の注射器は、両端に開口部が形成された筒形状の本体と、該本体の一端に同軸状に、かつ、スライド可能に挿入された押部材と、該押部材の前記本体に挿入された端部とは反対側の端部に設けられたフランジ部と、前記本体の一端に対応する位置から前記フランジ部側の端部までの前記押部材の領域である取付領域に取付けられると共に、その長さが前記取付領域の長さよりも短いストッパー部材と、前記本体の他端と前記本体に挿入された前記押部材の端部との間に収容された薬液と、前記本体の他端に取付けられると共に、前記本体の内部と通じる導管を有する針部とを備える。
【００１１】
ここで、本体の一端に対応する位置からフランジ部側の端部までの押部材の領域である取付領域に取付けられると共に、その長さが取付領域の長さよりも短いストッパー部材によって、押部材が本体内に挿入される動きを制限できる、即ち、本体の他端と本体に挿入された押部材の端部との間に収容された薬液と共に充填された空気の放出を制限できる。
【００１２】
また、本考案の注射器において、取付領域の長手方向に対して略垂直なその断面の形状は、略十字形状であり、ストッパー部材の長手方向に対して略垂直なその断面の形状は、略Ｕ字形状であるものとすることができる。
【００１３】
この場合、取付領域の長手方向に対して略垂直な断面の形状が略円形のものや、ストッパー部材の長手方向に対して略垂直な断面の形状が略円形のものに比べて、ストッパー部材が押部材を軸にして回転し難くなり、ストッパー部材が外れ難くなる。
【００１４】
また、本考案の注射器において、ストッパー部材の長さと取付領域の長さとの差は、本体の他端と本体に挿入された押部材の端部との間にある薬液層及び空気層のうち、針部を上にして本体を略鉛直方向に向けた状態の空気層の厚みと略同じであるものとすることができる。
【００１５】
この場合、針部を上にして本体を略鉛直方向に向けた状態で、押部材の動きがストッパー部材によって制限されるまで押部材を押すだけで、重力によって薬液層よりも空気層が針部に近い位置に在るので、空気のみを放出することができる。
【００１６】
また、本考案の注射器において、ストッパー部材の長さは、本体の他端と本体に挿入された押部材の端部との間にある薬液層及び空気層のうち、針部を下にして本体を略鉛直方向に向けた状態の空気層の厚みと略同じであるものとすることができる。
【００１７】
この場合、針部を下にして本体を略鉛直方向に向けた状態で、押部材の動きがストッパー部材によって制限されるまで押部材を押すだけで、重力によって空気層よりも薬液層が針部に近い位置に在るので、薬液のみを放出することができる。
【考案の効果】
【００１８】
本考案に係る注射器は、薬液の注射において注射器内の空気の影響を容易に低減できる。
【図面の簡単な説明】
【００１９】
【図１】本考案の注射器の一例を示す概略図である。
【図２】針部を上にして本考案の注射器を略鉛直方向に向けた状態を示す概略図である。
【図３】針部を下にして本考案の注射器を略鉛直方向に向けた状態を示す概略図である。
【図４】従来の自己注射用補助具を示す概略図である。
【考案を実施するための形態】
【００２０】
以下、本考案の実施の形態について図面を参照しながら説明し、本考案の理解に供する。
図１は、本考案の注射器の一例を示す概略図である。
【００２１】
図１に示すように、本考案の注射器１は、両端に開口部が形成された円筒形状の本体２を備える。
また、本体２の一端には、つば部２Ａが設けられている。
【００２２】
また、本考案の注射器１は、本体２の一端に同軸状に、かつ、スライド可能に挿入された押部材３を備える。
また、本考案の注射器１は、押部材３の本体２に挿入された端部とは反対側の端部に設けられたフランジ部４を備える。
また、押部材３の本体２に挿入された端部には、本体２の内径と略同じ外径を有するピストン部５が設けられている。
【００２３】
また、本考案の注射器１は、本体２の一端に対応する位置からフランジ部４側の端部までの押部材３の領域である取付領域に取付けられると共に、その長さが取付領域の長さよりも短いストッパー部材６を備える。
【００２４】
また、本考案の注射器１は、本体２の他端と本体２に挿入された押部材３の端部との間に収容された薬液（例えば、インスリン、リウマチ用治療薬）７を備える。
また、本体２の他端と本体２に挿入された押部材３の端部との間には、空気８も充填されている。
【００２５】
また、本考案の注射器１は、本体２の他端に取付けられると共に、本体２の内部と通じる導管を有する針部９を備える。
【００２６】
また、押部材３は、その長手方向に対して略垂直な断面の形状が略十字形状である。
また、ストッパー部材６は、その長手方向に対して略垂直な断面の形状が略Ｕ字形状である。
【００２７】
次に、注射器１の本体２に充填された空気８のみを抜く場合、次のように行なう。
図２は、針部を上にして本考案の注射器を略鉛直方向に向けた状態を示す概略図である。
【００２８】
図２に示すように、針部９を上にして注射器１を略鉛直方向に向けた状態にする。
ここで、ストッパー部材６の長さと取付領域の長さとの差Ｄは、本体２の他端と本体に挿入された押部材３の端部との間にある薬液７（層）及び空気８（層）のうち、針部９を上にして本体２を略鉛直方向に向けた状態の空気８（層）の厚みＡと略同じである。
【００２９】
そして、ストッパー部材６が取付けられた押部材３を、本体２へ向けて押す。
押部材３を押していくと、ストッパー部材６が本体２のつば部２Ａに当たり、そこで、押部材３を押せなくなる。
【００３０】
ここで、押部材３の移動距離は、ストッパー部材６の長さと取付領域の長さとの差Ｄに相当するが、ストッパー部材６の長さと取付領域の長さとの差Ｄは、針部９を上にして本体２を略鉛直方向に向けた状態の空気８（層）の厚みＡと略同じであり、また、重力によって薬液７（層）よりも空気８（層）が針部に近い位置に在るから、押部材３を押せなくなるまで押部材３を押すことによって、空気８（層）のみを、注射器１の本体２から放出できる。
【００３１】
次に、注射器１の本体２に収容された薬液７と空気８のうち、薬液７のみを放出する場合、次のように行なう。
図３は、針部を下にして本考案の注射器を略鉛直方向に向けた状態を示す概略図である。
【００３２】
図３に示すように、針部９を下にして注射器１を略鉛直方向に向けた状態にする。
ここで、ストッパー部材６の長さは、図２に示したストッパー部材の長さよりも短い。
【００３３】
このように、空気のみを放出させるか、薬液のみを放出させるかによって異なる長さのストッパー部材を着脱自在に取付領域に取付けることができる。
なお、本体を略鉛直方向に向けた状態の空気層の厚みに応じて、様々な長さのストッパー部材を取付けることは勿論である。
【００３４】
また、図３に示すストッパー部材６の長さＬは、本体２の他端と本体２に挿入された押部材３の端部との間にある薬液７（層）及び空気８（層）のうち、針部９を下にして本体２を略鉛直方向に向けた状態の空気８（層）の厚みＢと略同じである。
【００３５】
そして、ストッパー部材６が取付けられた押部材３を、本体２へ向けて押す。
押部材３を押していくと、ストッパー部材５が本体２のつば部２Ａに当たり、そこで、押部材３は押せなくなる。
【００３６】
ここで、押部材３の長さＬは、針部９を下にして本体２を略鉛直方向に向けた状態の空気８（層）の厚みＢと略同じであり、また、重力によって空気８（層）よりも薬液７（層）が針部９に近い位置に在るから、押部材３を押せなくなるまで押部材３を押すことによって、薬液７（層）のみを、注射器１の本体２から放出できる。
【００３７】
ここで、本考案の注射器が、両端に開口部が形成された筒形状の本体と、本体の一端に同軸状に、かつ、スライド可能に挿入された押部材と、押部材の本体に挿入された端部とは反対側の端部に設けられたフランジ部と、本体の一端に対応する位置からフランジ部側の端部までの押部材の領域である取付領域に取付けられると共に、その長さが取付領域の長さよりも短いストッパー部材と、本体の他端と本体に挿入された押部材の端部との間に収容された薬液と、本体の他端に取付けられると共に、本体の内部と通じる導管を有する針部とを備えるのであれば、必ずしも取付領域の長手方向に対して略垂直な断面の形状は、略十字形状でなくてもよく、また、ストッパー部材の長手方向に対して略垂直な断面の形状は、略Ｕ字形状でなくてもよい。
【００３８】
しかし、取付領域の長手方向に対して略垂直な断面の形状は、略十字形状であり、ストッパー部材の長手方向に対して略垂直な断面の形状は、略Ｕ字形状であれば、取付領域の長手方向に対して略垂直な断面の形状が略円形のものや、ストッパー部材の長手方向に対して略垂直な断面の形状が略円形のものに比べて、ストッパー部材が押部材を軸にして回転し難くなり、ストッパー部材が外れ難くなるので好ましい。
【００３９】
以上のように、本考案の注射器は、本体の一端に対応する位置からフランジ部側の端部までの押部材の領域である取付領域に取付けられると共に、その長さが取付領域の長さよりも短いストッパー部材を備えるので、押部材が本体内に挿入される動きを制限できる、即ち、本体の他端と本体に挿入された押部材の端部との間に収容された薬液と共に充填された空気の放出を制限できる。
【００４０】
従って、本考案の注射器は、薬液の注射において注射器内の空気の影響を容易に低減できる。
これにより、指が変形したリウマチ患者でも、通常通り単に本考案の注射器の押部材を押すだけで、体内に空気が注入されるおそれを低減できるので、安心して自己注射を行なうことができる。
【符号の説明】
【００４１】
１    注射器
２    本体
２Ａ  つば部
３    押部材
４    フランジ部
５    ピストン部
６    ストッパー部材
７    薬液
８    空気
９    針部
【図１】
0003172028.tif 000003
【図２】
0003172028.tif 000004
【図３】
0003172028.tif 000005
【図４】
0003172028.tif 000006